(57)【要約】  【課題】 本発明は、部品点数が少なく全ての部品をケース内に納めることができるモータユニット装置を提供することを目的とする。  【解決手段】  ケース２及びカバー３の内部に引き込みギヤ５、伝達ギヤ６、モータ７、制御部８、リミットスイッチ９が、第１のヘリカルギヤと第１のウォームギヤ６１とが噛み合い、第２のヘリカルギヤ６２と第２のウォームギヤ７１が噛み合うことにより、引き込みギヤ５を中心として引き込みギヤ５を囲うように配置される。  【選択図】  図１
2010130840.tif 000002
【特許請求の範囲】
【請求項１】
乗員が着座するシートクッションに対して回動可能に取り付けられるシートバックを、所定の位置に固定するリクライニング装置を備え、
該リクライニング装置の操作レバーを、該操作レバーに一端が連結されたケーブルをモータを駆動することによって引き込むことでロック解除を行うことを、遠隔操作でも行うことが可能なモータユニット装置であって、
前記モータユニット装置は、底面が略長方形に形成されたケースと、該ケースに蓋体として嵌合するカバーと、
略円柱状に形成され、前記ケースの略中央部に回動自在に取り付けられ、前記ケーブルの他端が取り付けられ、第１のヘリカルギヤが設けられる引き込みギヤと、
一端に前記第１のヘリカルギヤと噛み合う第１のウォームギヤが設けられ、他端に第２のヘリカルギヤが設けられる伝達ギヤと、
前記第２のヘリカルギヤと噛み合う第２のウォームギヤを有するモータと、
前記モータの回転を制御する制御部と、
前記引き込みギヤの円周上に当接するリミットスイッチと、を備え、
前記引き込みギヤの周りに、前記伝達ギヤ、前記モータ、前記制御部、前記リミットスイッチを配置し、
前記引き込みギヤの円周上に設けられる凹部に前記リミットスイッチが当接する場合には前記モータへの電力供給が停止され、前記引き込みギヤの凹部以外の円周上に前記リミットスイッチが当接している場合には前記モータへの電力供給がなされることを特徴とするモータユニット装置。
【請求項２】
前記引き込みギヤは、前記ケーブルが取り付けられる上方部と、前記第１のヘリカルギヤが設けられている下方部とを備え、前記引き込みギヤと噛み合う前記伝達ギヤは下方部に位置し、前記ケーブルが前記伝達ギヤの上方を通るように組み付けられることを特徴とする請求項１に記載のモータユニット装置。
【請求項３】
前記カバーには覗き穴が穿設され、前記ケースに嵌合した場合に、前記覗き穴に前記モータの一部が嵌まるようになっていることを特徴とする請求項１または２に記載のモータユニット装置。
【発明の詳細な説明】
【技術分野】
【０００１】
本発明は、モータによりケーブルの引き込み動作を行うモータユニット装置であって、特にシートのロック解除を行うことができるものである。
【背景技術】
【０００２】
従来、シートのシートバックを所定の位置で固定するリクライニング装置のロックを、シートから離れた位置にある操作スイッチを操作することによってロックを解除させるロック解除機構を備えたシートが例えば特許文献１に開示されている。
【０００３】
特許文献１のロック解除機構(30)は、電動モータ(31)、ウォームギヤ(32)、ヘリカルギヤ(33)、ピニオンギヤ(34)、大ギヤ(35)、小ギヤ(36)、セクタギヤ(37)及び出力リンク(38)を有している。電動モータ(31)の出力軸にはウォームギヤ(32)が設けられ、ウォームギヤ(32)にはヘリカルギヤ(33)が噛合している。ヘリカルギヤ(33)には、同軸でピニオンギヤ(34)が固定され、ピニオンギヤ(34)には大ギヤ(35)が噛合している。また、大ギヤ(35)には同軸で小ギヤ(36)が固定され、小ギヤ(36)にはセクタギヤ(37)が噛合している。さらに、セクタギヤ(37)には同軸で出力リンク(38)が固定されている。出力リンク(38)は初期状態から、電動モータ(31)に通電して出力軸を正転させると、電動モータ(31)の出力軸の回転は、ウォームギヤ(32)、ヘリカルギヤ(33)、ピニオンギヤ(34)、大ギヤ(35)、小ギヤ(36)、セクタギヤ(37)を介して、減速して出力リンク(38)に伝達される。
【０００４】
さらに、ロック解除機構(30)は、ケース(40)に収納される。ただし、ケース(40)は、ウォームギヤ(32)、ヘリカルギヤ(33)、ピニオンギヤ(34)、大ギヤ(35)、小ギヤ(36)、セクタギヤ(37)及び電動モータ(31)を収納するものであり、出力リンク(38)はケース(40)の外側に配設される。
【０００５】
そして、操作スイッチ(50)の操作により、電動モータ(31)に通電されてロック解除機構(30)が初期位置から動作位置へと解除動作される。これにより、ワイヤが引っ張られてロック機構(10)がロック状態からロック解除状態とされ、シートバック(82)がシートクッション(81)に対して前傾される。
【特許文献１】特開２００８−２３０５３２号公報
【発明の開示】
【発明が解決しようとする課題】
【０００６】
しかしながら、特許文献１のようなロック解除機構であると、ケース内に収納されるのはウォームギヤ、ヘリカルギヤ、ピニオンギヤ、大ギヤ、小ギヤ、セクタギヤ及び電動モータであり、出力リンクは外側に配設されているため、連結部分に異物が混入する可能性が考えられる。
【０００７】
また、ギヤのほとんどが円形のギヤを使用しているので、作動させるには積み上げて噛み合わせなければならず、高さ方向に収納スペースが広くなってしまう可能性がある。
【０００８】
本発明は、上述した課題を解決するためになされたものであり、部品点数が少なく全ての部品をケース内に納めることができるモータユニット装置を提供することを目的とする。
【０００９】
上述した課題を解決するため、請求項１に記載のモータユニット装置においては、乗員が着座するシートクッションに対して回動可能に取り付けられるシートバックを、所定の位置に固定するリクライニング装置を備え、
該リクライニング装置の操作レバーを、該操作レバーに一端が連結されたケーブルをモータを駆動することによって引き込むことでロック解除を行うことを、遠隔操作でも行うことが可能なモータユニット装置であって、
モータユニット装置は、底面が略長方形に形成されたケースと、該ケースに蓋体として嵌合するカバーと、
略円柱状に形成され、ケースの略中央部に回動自在に取り付けられ、ケーブルの他端が取り付けられ、第１のヘリカルギヤが設けられる引き込みギヤと、
一端に第１のヘリカルギヤと噛み合う第１のウォームギヤが設けられ、他端に第２のヘリカルギヤが設けられる伝達ギヤと、
第２のヘリカルギヤと噛み合う第２のウォームギヤを有するモータと、
モータの回転を制御する制御部と、
引き込みギヤの円周上に当接するリミットスイッチと、を備え、
引き込みギヤの周りに、伝達ギヤ、モータ、制御部、リミットスイッチを配置し、
引き込みギヤの円周上に設けられる凹部にリミットスイッチが当接する場合にはモータへの電力供給が停止され、引き込みギヤの凹部以外の円周上にリミットスイッチが当接している場合にはモータへの電力供給がなされることを技術的特徴とする。
【００１０】
また、請求項２に記載のモータユニット装置においては、請求項１の技術的特徴に加え、引き込みギヤは、ケーブルが取り付けられる上方部と、第１のヘリカルギヤが設けられている下方部とを備え、引き込みギヤと噛み合う伝達ギヤは下方部に位置し、ケーブルが伝達ギヤの上方を通るように組み付けられることを技術的特徴とする。
【００１１】
さらに、請求項３に記載のモータユニット装置においては、請求項１または２の技術的特徴に加え、カバーには覗き穴が穿設され、ケースに嵌合した場合に、覗き穴にモータの一部が嵌まるようになっていることを技術的特徴とする。
【発明の効果】
【００１２】
請求項１に記載のモータユニット装置によれば、ケースの略中央部に引き込みギヤを配設し、第１のヘリカルギヤと第１のウォームギヤとを噛み合わせ、第２のヘリカルギヤと第２のウォームギヤとを噛み合わせ、引き込みギヤの周りに伝達ギヤ、モータ、制御部、リミットスイッチを配設したので、引き込みギヤを囲むようにユニット化ができ、それによってケースとカバーの内部に全て収納されるので省スペース化でき、異物の混入を防ぐことができるという効果を奏する。
【００１３】
請求項２に記載のモータユニット装置によれば、引き込みギヤは、ケーブルが取り付けられる上方部と、ギヤが設けられている下方部とを備え、引き込みギヤと噛み合う伝達ギヤは下方部に位置し、ケーブルが伝達ギヤの上方を通るようになっているため、ユニット内でケーブルがかさ張ることなく、省スペースに抑えることができる。
【００１４】
請求項３に記載のモータユニット装置によれば、カバーには覗き穴が穿設され、ケースに嵌合した場合に、覗き穴にモータの一部が嵌まるようになっているので、モータの膨らみ分だけ高さを高くする必要がなく、省スペースに抑えることができる。また、覗き穴にモータが嵌まるので、モータをより確実に固定することができる。
【発明を実施するための最良の形態】
【００１５】
本発明にかかるモータユニット装置について図面を参照して詳細に説明する。図１は、本発明にかかるモータユニット装置１の一実施形態の構成を示す斜視図である。図２は、モータユニット装置１を構成する部品がケース内に納められているものを示す斜視図である。図３は、モータユニット装置１にかかる回路図を示したものである。
【００１６】
モータユニット装置１は、ケース２及びカバー３と、ケース２内に収納されケーブル４を引き込むことができる引き込みギヤ５と、引き込みギヤ５を回転させる伝達ギヤ６と、その伝達ギヤ６を回動させるモータ７と、モータ７の動作を制御する制御部８と、引き込みギヤ５の回転を検知するリミットスイッチ９から主に構成されている。
【００１７】
ケース２は、底面２１が略長方形に形成され、底面２１の１辺から縦壁２ａが突設され、それに隣り合う辺から横壁２ｂ、２ｃが突設されている。
【００１８】
カバー３は、ケース２に蓋のように嵌め合わせ、上述したモータユニット装置１の各構成部品を内部に収納することができるように下面が開いた箱状に形成され、図１に示されるように縦壁の一部がケーブル４と後述するモータギヤ７１の軸受部が挿入できるように切りかかれており、上面には後述するモータ７の一部が嵌まるように覗き穴３１が穿設されている。
【００１９】
ケーブル４は、その一端をシートに設けられるリクライニング装置のロック解除レバー（図示しない）に連結され、もう一方はケース２のケーブル取り付け溝２１に嵌合され、先端は引き込みギヤ５に回動自在に連結されている。
【００２０】
引き込みギヤ５は、略円形でケース２の略中央部に回動自在に軸支され、上方部にはケーブル４が取り付けられ、下方部は第１のヘリカルギヤになっており、後述する伝達ギヤ６と噛み合うようになっている。また、上方部には円周上の一部に凹部５ａが形成され、該凹部５ａにリミットスイッチが当接している場合には、スイッチがオフとなるようになっている。
【００２１】
伝達ギヤ６は、ケース２の縦壁２ａに沿うように配置され、その両端はケース２の横壁２ｂ、２ｃに軸受け部材１１，１１によって軸受けされている。また、伝達ギヤ６は略中央付近を境に第１のウォームギヤ６１と第２のヘリカルギヤ６２とが形成されている。第１のウォームギヤ６１は引き込みギヤ５の第１のヘリカルギヤと噛み合い、第２のヘリカルギヤ６２は後述する第２のウォームギヤ７１と噛み合うようになっており、伝達ギヤ６の回転が引き込みギヤ５を回動できるようになっている。さらに伝達ギヤ６は、引き込みギヤ５の第１のヘリカルギヤと噛み合うようになっており、伝達ギヤ６の上方を引き込みギヤ５に取り付けられているケーブル４が通るように配設されている。
【００２２】
モータ７は、ケース２の横壁２ｃに沿うようにケース２の底面２１に突設された支持片２２に固定され、回転軸には第２のウォームギヤ７１が取り付けられている。該第２のウォームギヤ７１は、ケース２の縦壁２ａに設けられた取付穴２３に軸支されている。
【００２３】
制御部８は、基板８１とカプラ８２とを有し、ケース２の底面２１上にモータ７と直角に位置するように取り付けられている。
【００２４】
リミットスイッチ９は、ケース２の横壁２ｂに取り付けられ、引き込みギヤ５に当接している。リミットスイッチ９は、引き込みギヤ５の凹部５ａに当接している場合にはスイッチがオフするようになっており、引き込みギヤ５の凹部５ａ以外の円周上に当接している場合にはスイッチがオンするようになっている。
【００２５】
次に、本発明のモータユニット装置１の動作を説明する。まず、カプラ８２の先に接続されている操作スイッチＳＷ１のスイッチを押すと、リレーＲＹ１が通電し、モータ７が動作する。モータ７が動作すると第２のウォームギヤ７１が回転し、第２のウォームギヤ７１と噛み合っている伝達ギヤ６の第２のヘリカルギヤ６２が回転する。そうすると、伝達ギヤ６の第１のウォームギヤ６１が回転することとなり、第１のウォームギヤ６１と噛み合っている引き込みギヤ５が回転し、ケーブル４の引き込み動作を行うようになっている。
【００２６】
操作スイッチＳＷ１は、スイッチを一度オンにすればモータ７が動作して引き込みギヤ５が回転し、リミットスイッチ９が引き込みギヤ５の凹部５ａ以外の円周上に当接するのでオンになる。リミットスイッチ９がオンになっている間は電流がモータ７に流れ続けるので、操作スイッチＳＷ１の操作を止めても、引き込みギヤ５の凹部５ａが回転してリミットスイッチ９の位置に来て当接し、リミットスイッチ９がオフになるまで電流が流れることになる。
【００２７】
このように本発明にかかるモータユニット装置１では、ケース２及びカバー３の内部に引き込みギヤ５、伝達ギヤ６、モータ７、制御部８、リミットスイッチ９が、第１のヘリカルギヤと第１のウォームギヤ６１とが噛み合い、第２のヘリカルギヤ６２と第２のウォームギヤ７１が噛み合うことにより、引き込みギヤ５を中心として引き込みギヤ５を囲うように配置されることによって、より省スペースに構成することができる。また、引き込みギヤ５をケーブル４が取り付けられる上方部と、第１のヘリカルギヤが設けられる下方部とからなるようにし、伝達ギヤ６を下方部に位置するように配置し、その上方をケーブル４が通るように設定したので、より省スペースに収められる。さらに、組み付け後にカバー３の上面に穿設された覗き穴３１にモータ７の一部が嵌るようになっているため、高さ方向も省スペースにすることができ、かつ、モータ７の固定も確実にされる。
【図面の簡単な説明】
【００２８】
【図１】図１は、本発明の一実施形態であるモータユニット装置の構成を示す構成図である。
【図２】図２は、モータユニット装置を構成する部品がケース内に納められているものを示す斜視図である。
【図３】図３は、本発明にかかるモータユニット装置の回路図である。
【符号の説明】
【００２９】
１      モータユニット装置
２      ケース
２１    底面
２２    支持片
２３    取付穴
２ａ    縦壁
２ｂ、２ｃ  横壁
３      カバー
３１    覗き穴
４      ケーブル
５      引き込みギヤ
５ａ    凹部
６      伝達ギヤ
６１    第１のウォームギヤ
６２    第２のヘリカルギヤ
７      モータ
７１    第２のヘリカルギヤ
８      制御部
８１    基板
８２    カプラ
９      リミットスイッチ
１１    軸受け部材
ＳＷ１  操作スイッチ
ＲＹ１  リレー
【図１】
2010130840.tif 000003
【図２】
2010130840.tif 000004
【図３】
2010130840.tif 000005